(57)【特許請求の範囲】
【請求項１】
曳舟本体の外表面に、透光部を形成すると共に、該本体の内部への直射日光の照射を防ぐべく形成された、該透光部の上方の少なくとも一部分を覆う庇状の保護部を備えたことを特徴とする曳舟。
【請求項２】
曳舟本体を透明又は半透明の材料で形成すると共に、透光部を除く曳舟本体に、該本体の内部への直射日光の照射を遮断する不透明層を形成したことを特徴とする曳舟。
【発明の詳細な説明】
【０００１】
【発明の属する技術分野】
本発明は曳舟に関し、特に鮎の友釣りのときに囮鮎の保管のための曳舟に関するものである。
【０００２】
【従来の技術】
鮎の友釣りは、囮として使用する鮎を生かしたままの状態で保管するため、曳舟と呼ばれる囮箱が用いられている。
【０００３】
この種の曳舟には、囮用の鮎の投入口が形成されているとともに、曳舟内部の水の循環を良好にして囮鮎が弱ることを防止するために水の流入口と排出口を形成しているのが一般的である。
【０００４】
ところで、前記した開口部以外の部分は閉塞されており、曳舟内部は非常に暗くなっているのが一般的である。このため、囮鮎を出し入れするために投入口を開けると内部がいきなり明るくなるので、囮鮎が驚いて急に暴れだして、開いた投入口から飛び出してしまったり、また、煩雑に開閉を繰り返すと暴れるたびに囮鮎が弱っていくので早急な改善が必要とされていた。
この不具合を解消すべく実公昭４０−８１４５号には、囮筺の上面に透明板を設けて内部を視認しやすくして囮鮎の状態を把握し易くした構成が開示されている。
しかし、この場合には、内部が常時直射日光に晒されるため、内部の水温が上昇しやすく囮鮎が弱ってしまうといった不具合がある。
【０００５】
前記公報に開示されたものの不具合を解消すべく、曳舟の上面に形成された透明部に開閉式の蓋体を設けた構成が実開平３−１６８７２号や実公平７−４２３０７号に開示されている。
【０００６】
【発明が解決しようとする課題】
しかしながら、このように曳舟の上面に形成された透明部に開閉式の蓋体を設けた構成においても、蓋体を開けたときに始めて内部に光が入るため、蓋体を開けたときに囮鮎が急に暴れ出すといった不具合は解消されておらず、しかも、蓋体が邪魔になり、該蓋体が破損するおそれがあるため、あまり好ましい構成とはいえない。
【０００７】
本発明は、上記従来技術の課題に鑑みてなされたもので、曳舟本体に常時減光された直射日光を入れて、内部の水温が上昇することを防止して囮鮎が弱ることがなく、しかも、投入口を開けた際に内部が急に明るくなって囮鮎が驚いて暴れることのない囮鮎保管用の曳舟を提供することを目的とする。
【０００８】
【課題を解決するための手段】
斯かる目的を達成させるため、請求項１に係る発明は、曳舟本体の外表面に、透光部を形成すると共に、該本体の内部への直射日光の照射を防ぐべく形成された、該透光部の上方の少なくとも一部分を覆う庇状の保護部を備えたことを特徴とする。
【０００９】
そして請求項２に係る発明は、曳舟本体を透明又は半透明の材料で形成すると共に、透光部を除く曳舟本体に、該本体の内部への直射日光の照射を遮断する不透明層を形成したことを特徴とする。
【００１１】
【発明の実施の形態】
以下、添付の図面を参照して本発明の実施の形態を詳細に説明する。
なお、以下の説明において、前方側とは紐体取付側をいい、これと反対側を後方側という。
【００１２】
図１〜図４に示すように、第１の実施の形態における曳舟は、内部に囮鮎収容空間が形成された本体１と、該本体１の上部に囮鮎取り出し時に開閉する蓋体２を有する。この蓋体２は蝶番２１により開閉自在に回動するとともに、開閉の操作を行うと共に、閉蓋時に蓋体２が開くのを防止するロック機構を備えた開閉操作部２２が形成されている。
【００１３】
本体１の側面であって、前方に向けて、水を内部に流入させるための流入口１１が形成されている。流入口１１の数や形状は特に限定されるものではない。
【００１４】
本体１の上部であって、蓋体２の後方側には、前記流入口１１より本体１内部に入った水を循環させて排出する排水口１３が形成されている。
【００１５】
排水口１３の後方側の上面には、予め定められた透光率、例えば半透明（スモークを含む）の透光部１５が形成されている。この透光部１５は外部からの光、例えば直射日光などを減光させて曳舟本体１内の囮鮎収容空間に入射せしめる。ここで、透光部１５は板状に構成されており、本体１の上壁に形成された切欠き部を閉塞するように取り付けられている。この透光部１５は、曳舟本体１に固定的に取り付けられていても、あるいは脱着自在に取り付けられていても良い。なお、囮鮎収容空間内の明るさを調節するためには、透光部１５を着脱自在としておき、かつ、異なった透光率の透光部材を複数枚用意しておき、これを交換することによって行う。ここで、透光部１５を着脱（交換）自在としておく場合には、不用意に透光部１５が外れないような措置を施しておくか、あるいは、透光部１５を取り付ける切欠き部に例えば格子状にしておき、透光部１５が外れても中の囮鮎が逃げないように構成しておくことが望ましい。このように、異なった透光率の透光部１５を複数枚用意しておけば、太陽光の強さ等に応じて適宜減光度を調節できる。即ち、夕方や曇りのときなどのように日差しが弱いときには、透光率が大きいものを用いて、内部に多くの光が入るようにしておき、また、日差しが強いときには透光率の小さなものに交換できる。
【００１６】
透光部１５の上方であって蓋体２の後方側には、透光部１５の一部を覆うように庇状の保護部１７を形成しておく。
この保護部１７は着脱自在にしておいてもよい。
さらには、庇部分の長さの異なったものを複数用意しておき、日差しの強さや角度によって適宜交換するものとしておいても良い。
【００１７】
本実施の形態における曳舟にも、従来のものと同様に、蓋体２に外力を加えれば開き、常態では閉まっている魚投入口２５が設けられており、逐次釣った魚を投入できるような構成となっている。
【００２２】
本発明の第２の実施の形態は、図５〜図６に示すように、曳舟本体１を半透明の部材で形成し、曳舟本体１の一部をマスキングで覆った後塗装３２を施して、不透明層である塗膜３３を形成し、塗膜が硬化した後にマスキング３１を剥がすことで、直射日光を減光して曳舟内部に導く透光部３４を形成するものである。
この曳舟本体１は、透明の部材で形成しても良く、その際は前記の如く形成された透光部３４に、スモーククリアの塗装、又はスモーククリアのシールを貼り付ける等の処理を施すことで前記と同様、直射日光を減光して曳舟内部に導くことが出来る。
又、塗装３２にて形成された塗膜３３に代えて、カッティングシート等の不透明シールを貼りつけても良い。又、不透明層は、前記の塗装のみならず、メッキ{湿式（電解）・乾式（蒸着）}や印刷、箔のホットスタンプ等を状況に応じて適宜選択しても良い。
【００２４】
【発明の効果】
請求項１および２に記載された発明によれば、前記の様に曳舟本体に、曳舟本体内部の収容空間部へ直射日光が減光されて照射される透光部が設けられているので、内部の水温が上昇するのを防止でき、魚が弱ることがなくなる。また、内部の収容空間部には減光された光が常時照射されているのでて投入口を開けた際に内部が急激に明るくなって囮鮎が驚いて暴れることを有効に防止でき、囮が逃げてしまったり、弱ったりすることが無くなる。さらに、請求項１に記載された発明によれば、曳舟本体に透光部を保護する保護部を形成したので、該保護部が曳舟本体内部の収容空間部へ直射日光が照射されるのを防ぐので、透光部を透明な部材で形成することが可能となる。又請求項２に記載された発明によれば、透光部を曳舟本体に一体形成出来るので、曳舟本体上であれば場所を制限されることなく透光部を形成出来、又、開口や段差を生じさせることが無いので、曳舟本体の成形加工が容易となる。
【図面の簡単な説明】
【図１】第１の実施の形態における曳舟の平面図である。
【図２】第１の実施の形態における曳舟の側面図である。
【図３】第１の実施の形態における曳舟の側面断面図ある。
【図４】第１の実施の形態における曳舟の要部周りを示す側面図である。
【図５】第２の実施の形態における、マスキングを施す状態を示す要部周りの側面断面図である。
【図６】第２の実施の形態における、塗装工程を示す要部周りの側面断面図ある。
【図７】第２の実施の形態における、透光部を示す要部周りの側面断面図ある。
【符号の説明】
１ 曳舟本体
３ 蓋体
１５  透光部
【図１】
0004291489.tif 000002
【図２】
0004291489.tif 000003
【図３】
0004291489.tif 000004
【図４】
0004291489.tif 000005
【図５】
0004291489.tif 000006
【図６】
0004291489.tif 000007
【図７】
0004291489.tif 000008